(57)【特許請求の範囲】
【請求項１】
メッシュ型の無線網に接続される無線機に対して識別子を発行する識別子発行部を備え、前記無線網に接続された無線機と無線通信を行うと共に、前記無線網とは異なる通信網を介して外部通信装置と通信を行うゲートウェイ無線機と、前記識別子発行部より発行された識別子を有する複数の無線機とを含む無線通信システムにおいて、
前記ゲートウェイ無線機は、
前記無線網に未接続の無線機に対して発行した識別子を、前記無線網に接続済みの無線機へ通知する通知部
を備え、
前記無線機は、
前記ゲートウェイ無線機より通知された識別子を記憶する記憶部と、
該記憶部に記憶した識別子により識別される無線機を検出する検出部と、
該検出部により前記無線機を検出した場合、検出した前記無線機の識別子を含む検出通知を前記ゲートウェイ無線機へ送信する送信部と
を備え、
前記ゲートウェイ無線機は、
前記検出通知を受信した場合、前記無線機と前記ゲートウェイ無線機との間に、前記検出通知の送信元を経由する一の通信経路を設定する経路設定部
を備えることを特徴とする無線通信システム。
【請求項２】
各無線機は、
自機の識別子を含む１又は複数の識別子と、該識別子により識別される無線機までのホップ数とを関連付けて記憶するホップ数テーブルと、
他の無線機から、該他の無線機が有するホップ数テーブルを取得する取得部と、
該取得部にて取得したホップ数テーブルに基づき、自機が有するホップ数テーブルを更新する更新部と
を備え、
前記検出部は、前記取得部にて取得したホップ数テーブルを参照し、前記記憶部に記憶した識別子により識別される無線機を検出する
ことを特徴とする請求項１に記載の無線通信システム。
【請求項３】
各無線機は、
他の無線機から間欠的に送信され、該他の無線機の識別子を含む識別子通知信号を受信する受信部と、
前記経路設定部が前記一の通信経路を設定した場合、前記識別子通知信号の受信を禁止する禁止部と、
前記識別子通知信号の受信を禁止してから設定時間が経過した場合、前記識別子通知信号の受信の禁止を解除する禁止解除部と
を備えることを特徴とする請求項１又は請求項２に記載の無線通信システム。
【請求項４】
前記ゲートウェイ無線機は、
自機と通信可能に接続された無線機から、該無線機の識別子を含む１又は複数の識別子と、該識別子により識別される無線機までのホップ数とを関連付けて記憶するホップ数テーブルを取得する取得部と、
該取得部にて取得したホップ数テーブルに、前記一の通信経路上に存在する各無線機の識別子が含まれる場合、該一の通信経路の設定を解除する経路解除部と
を備えることを特徴とする請求項１から請求項３の何れか１つに記載の無線通信システム。
【請求項５】
メッシュ型の無線網に接続される無線機に対して識別子を発行する識別子発行部を備え、前記無線網に接続された無線機と無線通信を行うと共に、前記無線網とは異なる通信網を介して外部通信装置と通信を行うゲートウェイ無線機において、
前記無線網に未接続の無線機に対して発行した識別子を、前記無線網に接続済みの無線機へ通知する通知部と、
前記識別子により識別される無線機が他の無線機により検出されたことを示す検出通知を受信した場合、前記識別子により識別される無線機と自機との間に、前記検出通知の送信元を経由する一の通信経路を設定する経路設定部と
を備えることを特徴とするゲートウェイ無線機。
【発明の詳細な説明】
【技術分野】
【０００１】
本発明は、メータにて計測されたガス、水道、電気などの使用量を無線網を利用してセンタ側の通信装置へ送信する無線通信システム及びゲートウェイ無線機に関する。
【背景技術】
【０００２】
ガス、水道、電気等の検針用に開発された無線テレメータシステムが知られている（例えば、特許文献１を参照）。無線テレメータシステムは、センタ側の構成として、ホストコンピュータ、センタ網制御装置等を備え、端末側の構成として、無線親機、無線子機等を備える。センタ側のホストコンピュータと端末側の無線親機との間は、公衆電話網、ＰＨＳ（Personal Handyphone System）網、ＦＯＭＡ（Freedom Of Mobile multimedia Access）網などの広域通信網を介して通信可能に接続される。また、端末側の無線親機及び各無線子機は狭域無線網を形成し、互いに通信可能に接続される。
【０００３】
各無線子機には、各需要家に供給されるガス、水道、電気等の供給物の使用量を計測するメータが接続される。各メータは、計測結果（検針値）を取得した場合、取得した検針値を含むパケットを送信する。各メータから送信されるパケットは、メータが接続された無線子機を含む１又は複数の無線子機、並びに無線親機を経由して、センタ側のホストコンピュータに到達する。
【先行技術文献】
【特許文献】
【０００４】
【特許文献１】特開２００４−３４１６４８号公報
【発明の概要】
【発明が解決しようとする課題】
【０００５】
無線テレメータシステムのネットワーク構成の１つとして、メッシュ型ネットワークが知られている。メッシュ型ネットワークでは、例えば、ある機器が外部から送信されたデータを受信可能な状況にあるとき、自機の識別子を含んだＩＤ通知信号（ＲＮＯ）を間欠的に送信する。そして、送信すべきデータを有する無線親機及び無線子機がＲＮＯを受信した場合、そのＲＮＯの送信元に対してデータを送信する構成としている。
【０００６】
このようにメッシュ型ネットワークでは、各機器がデータを送信するタイミングは周囲の通信状況に依存するため、狭域無線網内に新たな無線子機を設置した場合、当該無線子機の情報がシステム全体に伝わるにはある程度の時間が必要となる。この結果、新たな無線子機を狭域無線網内に設置したとしても、無線機の設置から開通が完了するまでに時間が掛かり、新たな無線子機とすぐに通信を開始することはできないという問題点を有している。
【０００７】
本発明は、斯かる事情に鑑みてなされたものであり、新たに設置された無線機の開通処理に要する時間を短縮できる無線通信システム及びゲートウェイ無線機を提供することを目的とする。
【課題を解決するための手段】
【０００８】
本願の無線通信システムは、メッシュ型の無線網に接続される無線機に対して識別子を発行する識別子発行部を備え、前記無線網に接続された無線機と無線通信を行うと共に、前記無線網とは異なる通信網を介して外部通信装置と通信を行うゲートウェイ無線機と、前記識別子発行部より発行された識別子を有する複数の無線機とを含む無線通信システムにおいて、前記ゲートウェイ無線機は、前記無線網に未接続の無線機に対して発行した識別子を、前記無線網に接続済みの無線機へ通知する通知部を備え、前記無線機は、前記ゲートウェイ無線機より通知された識別子を記憶する記憶部と、該記憶部に記憶した識別子により識別される無線機を検出する検出部と、該検出部により前記無線機を検出した場合、検出した前記無線機の識別子を含む検出通知を前記ゲートウェイ無線機へ送信する送信部とを備え、前記ゲートウェイ無線機は、前記検出通知を受信した場合、前記無線機と前記ゲートウェイ無線機との間に、前記検出通知の送信元を経由する一の通信経路を設定する経路設定部を備えることを特徴とする。
【０００９】
本願の無線通信システムは、各無線機は、自機の識別子を含む１又は複数の識別子と、該識別子により識別される無線機までのホップ数とを関連付けて記憶するホップ数テーブルと、他の無線機から、該他の無線機が有するホップ数テーブルを取得する取得部と、該取得部にて取得したホップ数テーブルに基づき、自機が有するホップ数テーブルを更新する更新部とを備え、前記検出部は、前記取得部にて取得したホップ数テーブルを参照し、前記記憶部に記憶した識別子により識別される無線機を検出することを特徴とする。
【００１０】
本願の無線通信システムは、各無線機は、他の無線機から間欠的に送信され、該他の無線機の識別子を含む識別子通知信号を受信する受信部と、前記経路設定部が前記一の通信経路を設定した場合、前記識別子通知信号の受信を禁止する禁止部と、前記識別子通知信号の受信を禁止してから設定時間が経過した場合、前記識別子通知信号の受信の禁止を解除する禁止解除部とを備えることを特徴とする。
【００１１】
本願の無線通信システムは、前記ゲートウェイ無線機は、自機と通信可能に接続された無線機から、該無線機の識別子を含む１又は複数の識別子と、該識別子により識別される無線機までのホップ数とを関連付けて記憶するホップ数テーブルを取得する取得部と、該取得部にて取得したホップ数テーブルに、前記一の通信経路上に存在する各無線機の識別子が含まれる場合、該一の通信経路の設定を解除する経路解除部とを備えることを特徴とする。
【００１２】
本願のゲートウェイ無線機は、メッシュ型の無線網に接続される無線機に対して識別子を発行する識別子発行部を備え、前記無線網に接続された無線機と無線通信を行うと共に、前記無線網とは異なる通信網を介して外部通信装置と通信を行うゲートウェイ無線機において、前記無線網に未接続の無線機に対して発行した識別子を、前記無線網に接続済みの無線機へ通知する通知部と、前記識別子により識別される無線機が他の無線機により検出されたことを示す検出通知を受信した場合、前記識別子により識別される無線機と自機との間に、前記検出通知の送信元を経由する一の通信経路を設定する経路設定部とを備えることを特徴とする。
【発明の効果】
【００１３】
本願によれば、新たに設置された無線機の開通処理に要する時間を短縮することができる。
【図面の簡単な説明】
【００１４】
【図１】本実施の形態１に係る無線テレメータシステムの全体構成を示すブロック図である。
【図２】ゲートウェイ無線機の内部構成を示すブロック図である。
【図３】無線機の内部構成を示すブロック図である。
【図４】無線機番号の発行手順を説明するタイミングチャートである。
【図５】ゲートウェイ無線機からのホップ数が１となる無線機を設置した状態を示す模式図である。
【図６】ゲートウェイ無線機及び無線機の動作手順を説明するタイミングチャートである。
【図７】ゲートウェイ無線機からのホップ数が２となる無線機を設置した状態を示す模式図である。
【図８】ゲートウェイ無線機及び無線機の動作手順を説明するタイミングチャートである。
【図９】ゲートウェイ無線機からのホップ数が３となる無線機を設置した状態を示す模式図である。
【図１０】ゲートウェイ無線機及び無線機の動作手順を説明するタイミングチャートである。
【図１１】発行済み番号通知を受信した無線機が実行する処理を説明するタイミングチャートである。
【図１２】ゲートウェイ無線機からのホップ数が２となる無線機を設置した状態を示す模式図である。
【図１３】番号発行済みの無線機が実行する処理の手順を説明するフローチャートである。
【図１４】実施の形態４に係るゲートウェイ無線機及び無線機の動作手順を説明するタイミングチャートである。
【発明を実施するための形態】
【００１５】
以下、本発明に係る無線通信システムを無線テレメータシステムに適用した形態について、図面を用いて具体的に説明する。
（実施の形態１）
図１は実施の形態１に係る無線テレメータシステムの全体構成を示すブロック図である。本実施の形態に係る無線テレメータシステムは、端末側の構成として、ゲートウェイ無線機２１、複数の無線機２２Ａ〜２２Ｇ、各無線機２２Ａ〜２２Ｇにそれぞれ接続されるメータ２３，２３，…，２３を備える。メータ２３は、例えば個人宅、会社、各種施設等の需要家毎に設置され、ガス、水道、電気等の使用量を計測し、計測結果（検針値）を出力する計測器である。無線テレメータシステムでは、メータ２３，２３，…，２３より得られる検針値、無線機２２Ａ〜２２Ｇの動作状態を示すデータ等を含んだパケットを、無線通信を利用してセンタ１０へ送信すると共に、無線機２２Ａ〜２２Ｇの動作を制御するための制御指令等を含んだパケットをセンタ１０から端末側へ送信する。
【００１６】
センタ１０は、例えば、ＰＨＳ網、ＦＯＭＡ網などの広域無線網Ｎ１を介して端末側のゲートウェイ無線機２１と通信を行う通信装置、端末側から送信されるデータを蓄積する記憶装置を含む（不図示）。
【００１７】
ゲートウェイ無線機２１は、広域無線網Ｎ１への接続を可能とするためにＮＣＵ（Network Control Unit）の機能を有しており、広域無線網Ｎ１を介してセンタ１０と無線通信を行う。なお、ゲートウェイ無線機２１とセンタ１０との間の通信は無線通信に限らず、有線の通信であってもよい。この場合、ゲートウェイ無線機２１及びセンタ１０は有線の通信網により接続される。
【００１８】
また、ゲートウェイ無線機２１は、無線機２２Ａ〜２２Ｇと共にメッシュ型の狭域無線網Ｎ２を形成する。ゲートウェイ無線機２１は、広域無線網Ｎ１で使用される通信プロトコルと、狭域無線網Ｎ２で使用される通信プロトコルとの間でプロトコル変換を行うゲートウェイ機能を備える。
【００１９】
ゲートウェイ無線機２１及び無線機２２Ａ〜２２Ｇは、狭域無線網Ｎ２内では無線機番号（例えば、０〜２５５の番号）により識別される。本実施の形態では、ゲートウェイ無線機２１には予め設定された無線機番号が付与され、各無線機２２Ａ〜２２Ｇには、ゲートウェイ無線機２１より発行された無線機番号が付与されるものとする。
【００２０】
狭域無線網Ｎ２内における通信経路は、ゲートウェイ無線機２１及び無線機２２Ａ〜２２Ｇのそれぞれのルーティング機能により動的に決定される。図１の例は、１つのゲートウェイ無線機２１及び７つの無線機２２Ａ〜２２Ｇが狭域無線網Ｎ２に接続された状態を示している。直接的に通信可能な通信経路（すなわち、隣接無線機間の経路）は破線により示されている。例えば、ゲートウェイ無線機２１は、３つの無線機２２Ａ〜２２Ｃと通信可能に接続されており、これらの無線機２２Ａ〜２２Ｃと直接的に通信可能であることを示している。他の隣接無線機間の経路についても図１に示す通りである。
【００２１】
狭域無線網Ｎ２内における通信経路は、基本的には宛先までのホップ数が最も少ない通信経路が優先的に選択される。例えば、ゲートウェイ無線機２１から無線機２２Ｄへ送信するパケットの通信経路は、宛先までのホップ数が最も少なくなるように、ゲートウェイ無線機２１から無線機２２Ａ，２２Ｄの順にパケットを転送する経路、または、ゲートウェイ無線機２１から無線機２２Ｂ，２２Ｄの順にパケットを転送する経路が優先的に選択される。しかしながら、経由する各無線機の稼働状況、電波状況、通信状況等に応じて適宜通信経路を変更してもよい。例えば、ゲートウェイ無線機２１と無線機２２Ａ，２２Ｂと間の電波状況が良くない状況下では、ゲートウェイ無線機２１から無線機２２Ｃ，２２Ｅ，２２Ｄの順にパケットを転送する経路が選択されてもよい。
【００２２】
このようにして動的に決定される通信経路を通じて、各無線機２２Ａ〜２２Ｇは、センタ側から送信されるパケットをゲートウェイ無線機２１経由で受信することができる。また、同様にして、各無線機２２Ａ〜２２Ｇは、夫々に接続されたメータ２３から検針値を取得した場合、検針値を含むパケットをゲートウェイ無線機２１経由でセンタ側へ送信することができる。
【００２３】
以下の説明では、無線機２２Ａ〜２２Ｇを区別して説明する必要がない場合、無線機２２とも記載する。また、ゲートウェイ無線機２１と無線機２２Ａ〜２２Ｇとを区別して記載する必要がない場合には、単に無線機とも記載する。
【００２４】
なお、図１に示す例では、１つのゲートウェイ無線機２１と７つの無線機２２Ａ〜２２Ｇを接続した形態について示したが、狭域無線網Ｎ２内の無線機の設置数及び接続形態は、図１に示した例に限定されるものではなく、通信仕様等により規定されている最大設置数、無線機１台当たりの最大接続数の範囲内で適宜変更され得る。
【００２５】
図２はゲートウェイ無線機２１の内部構成を示すブロック図である。ゲートウェイ無線機２１は、制御部２１０、記憶部２１１、広域無線通信部２１２、狭域無線通信部２１３、表示部２１４、操作部２１５などを備える。ゲートウェイ無線機２１が備えるハードウェア各部は、図に示していない内蔵電池又は外部電源から供給される電力により動作するように構成されている。
【００２６】
制御部２１０は、例えば、ＣＰＵ（Central Processing Unit）、ＲＯＭ（Read Only Memory）などを備える。制御部２１０内のＣＰＵは、ＲＯＭに予め格納された制御プログラムを実行することにより、上述したハードウェア各部の動作を制御し、機器全体を本発明に係るゲートウェイ無線機として機能させる。また、制御部２１０は、日時情報を出力する時計手段、計測開始指示を与えてから計測終了指示を与えるまでの経過時間を計測するタイマ、数をカウントするカウンタ等の機能を備えていてもよい。
【００２７】
記憶部２１１は、例えば、ＥＥＰＲＯＭ（Electronically Erasable Programmable Read Only Memory）などの不揮発性メモリにより構成されており、ゲートウェイ無線機２１の動作に関する設定情報、ゲートウェイ無線機２１の固有の識別子であるＮＣＵ−ＩＤ、ゲートウェイ無線機２１が使用する無線機番号等を記憶すると共に、発行済みの無線機番号を記憶する番号発行テーブル、各無線機２２に至るまでのホップ数を記憶するホップ数テーブル等を備える。
【００２８】
ここで、番号発行テーブルは、ゲートウェイ無線機２１が各無線機２２に対して発行した無線機番号と、発行先を示す情報とを関連付けて記憶する。ここで、発行先を示す情報は、無線機２２の製造番号、シリアル番号等の各無線機２２に固有の識別子（以下、無線機ＩＤという）であり、例えば英数字からなる文字列により表される。
【００２９】
また、ホップ数テーブルは、ゲートウェイ無線機２１の無線機番号を含む１又は複数の無線機番号と、当該無線機番号により識別される無線機に至るまでのホップ数とを関連付けて記憶する。ゲートウェイ無線機２１が備えるホップ数テーブルは、初期状態では、ゲートウェイ無線機２１の無線機番号と、ゲートウェイ無線機２１に至るまでのホップ数（＝０）とを関連付けて記憶する。各無線機２２の接続後、ゲートウェイ無線機２１は、隣接無線機（直接的に通信可能な無線機２２）とホップ数テーブルの交換を適宜行うことにより、ホップ数が１以上の無線機２２の無線機番号と各無線機２２に至るホップ数の情報を取得し、取得した情報を基に自機のホップ数テーブルを更新する。
【００３０】
広域無線通信部２１２は、アンテナ２１２ａを通じて電波を発信または受信することによって、センタ１０との通信を行う。例えば、無線機２２から送信される検針値を含んだパケットを受信した場合、広域無線通信部２１２は、アンテナ２１２ａを駆動して電波を発信させることより、広域無線網Ｎ１の通信規格に準拠した形式のパケットをセンタ１０へ送信する。
【００３１】
また、広域無線通信部２１２は、アンテナ２１２ａにて電波を受信した場合、受信した電波をデコードすることにより所定の形式のデータを取得する。広域無線通信部２１２は、受信電波をデコードして得られるデータを制御部２１０へ出力する。制御部２１０は、広域無線通信部２１２から出力されたデータを取得した場合、そのデータに基づいて各種の制御を行う。
【００３２】
狭域無線通信部２１３は、アンテナ２１３ａを通じて電波を発信または受信することによって、無線機２２，２２，…，２２と所定の無線通信方式にて無線通信を行う。無線通信方式としては、例えばＵバスエアの規格に準拠した通信方式が採用される。ゲートウェイ無線機２１の狭域無線通信部２１３は、無線機２２から送信されるパケットを受信することが可能である場合、ゲートウェイ無線機２１の無線機番号を含むＩＤ通知信号（ＲＮＯ）を間欠的に送信する。また、狭域無線通信部２１３は、無線機２２から送信されるＲＮＯを受信した場合であって、自機が送信すべきパケットを有するとき、当該パケットをＲＮＯの送信元へ送信する。
【００３３】
表示部２１４は、ＬＥＤランプ（LED : Light Emitting Diode）、液晶表示パネル等により構成されており、制御部２１０から出力される制御信号に基づいて、ゲートウェイ無線機２１の設置作業及び保守作業を行う作業員等に通知すべき情報を表示する。
【００３４】
操作部２１５は、ディップスイッチ等の各種スイッチ、ボタンにより構成されており、作業員等による各種の設定操作を受付ける。制御部２１０は、操作部２１５から入力される設定内容を基に適宜の制御を行い、必要に応じて設定内容を記憶部２１１に記憶させる。
【００３５】
図３は無線機２２の内部構成を示すブロック図である。無線機２２は、制御部２２０、記憶部２２１、狭域無線通信部２２２、接続ポート２２３、表示部２２４、操作部２２５などを備える。無線機２２が備えるハードウェア各部は、電池２２９から供給される電力により動作するように構成されている。
【００３６】
制御部２２０は、例えば、ＣＰＵ、ＲＯＭなどを備える。制御部２２０内のＣＰＵは、ＲＯＭに予め格納された制御プログラムを実行することにより、上述したハードウェア各部の動作を制御し、機器全体を本発明に係る無線機として機能させる。また、制御部２２０は、日時情報を出力する時計手段、計測開始指示を与えてから計測終了指示を与えるまでの経過時間を計測するタイマ、数をカウントするカウンタ等の機能を備えていてもよい。
【００３７】
記憶部２２１は、例えば、ＥＥＰＲＯＭなどの不揮発性メモリにより構成されており、各種動作に関する設定情報、自機に付与された無線機番号、接続ポート２２３に接続されたメータ２３のメータＩＤ等を記憶する。また、記憶部２２１は、自機に付与された無線機番号を含む１又は複数の無線機番号と、当該無線機番号により識別される無線機に至るまでのホップ数とを関連付けて記憶するホップ数テーブルを備える。
【００３８】
無線機２２が備えるホップ数テーブルは、初期状態では、ゲートウェイ無線機２１から自機宛に発行された無線機番号と、自機に至るまでのホップ数（＝０）とを関連付けて記憶する。各無線機２２の接続後、各無線機２２は、隣接無線機（直接的に通信可能なゲートウェイ無線機２１又は無線機２２）とホップ数テーブルの交換を適宜行うことにより、ホップ数が１以上の無線機の無線機番号と各無線機に至るホップ数の情報を取得し、取得した情報を基に自機のホップ数テーブルを更新する。
【００３９】
狭域無線通信部２２２は、アンテナ２２２ａを通じて電波を発信または受信することによって、ゲートウェイ無線機２１及び他の無線機２２，２２，…，２２との間で所定の無線通信方式にて無線通信を行う。無線通信方式としては、例えばＵバスエアの規格に準拠した通信方式が採用される。無線機２２の狭域無線通信部２２２は、自機がゲートウェイ無線機２１又は他の無線機２２から送信されるデータを受信することが可能である場合、自機のＩＤ（無線機番号）を含むＲＮＯを間欠的に送信する。また、狭域無線通信部２２２は、ゲートウェイ無線機２１又は他の無線機２２から送信されるＲＮＯを受信した場合であって、自機が送信すべきパケットを有するとき、当該パケットをＲＮＯの送信元へ送信する。
【００４０】
接続ポート２２３は、ガス、水道、電気等の使用量を計測するためのメータ２３を接続する。無線機２２の制御部２２０は、メータ２３からの検針値を接続ポート２２３を通じて取得する。
【００４１】
表示部２２４は、ＬＥＤランプ、液晶表示パネル等により構成されており、制御部２２０から出力される制御信号に基づいて、無線機２２の設置作業及び保守作業を行う作業員等に通知すべき情報を表示する。
【００４２】
操作部２２５は、ディップスイッチ等の各種スイッチ、ボタンにより構成されており、作業員等による各種の設定操作を受付ける。制御部２２０は、操作部２２５から入力される設定内容を基に適宜の制御を行い、必要に応じて設定内容を記憶部２２１に記憶させる。
【００４３】
本実施の形態では、ゲートウェイ無線機２１及び無線機２２，２２，…，２２を設置する前の事前の準備として、ゲートウェイ無線機２１より各無線機２２，２２，…，２２に対して無線機番号を予め発行しておく。以下の説明では、ゲートウェイ無線機２１より７つの無線機２２Ａ〜２２Ｇに対して無線機番号を予め付与しておき、無線機２２Ａ〜２２Ｇをそれぞれの設置場所に順次設置して起動し、各無線機を狭域無線網Ｎ２に順次接続する手順について説明する。
【００４４】
図４は無線機番号の発行手順を説明するタイミングチャートである。ゲートウェイ無線機２１より無線機番号を発行する場合、発行元のゲートウェイ無線機２１、及び発行先の無線機２２の双方を番号発行モードに移行させる（ステップＳ１０１，Ｓ１０２）。ゲートウェイ無線機２１及び無線機２２は、例えば、両者が接近した状態にて、それぞれの操作部２１５，２２５から特定の操作を同時的に受付けた場合、番号発行モードに移行するように構成されている。
【００４５】
番号発行モードへの移行後、無線機２２は、自機の無線機ＩＤを含む番号発行要求を狭域無線通信部２２２よりゲートウェイ無線機２１へ送信する（ステップＳ１０３）。
【００４６】
ゲートウェイ無線機２１は、無線機２２から送信される番号発行要求を狭域無線通信部２１３を通じて受信した場合、記憶部２１１に記憶されている番号発行テーブルを参照し、無線機２２に対して発行すべき無線機番号を決定する（ステップＳ１０４）。例えば、ゲートウェイ無線機２１の制御部２１０は、発行予定の無線機番号のうち、番号発行テーブルに記憶された発呼済みの無線機番号を除く最小の無線機番号を、要求基の無線機２２に対して発行すべき無線機番号として決定する。
【００４７】
ゲートウェイ無線機２１は、決定した無線機番号を発行先の無線機２２の無線機ＩＤに関連付けて番号発行テーブルに記憶させると共に、決定した無線機番号を含む番号発行応答を生成し、生成した番号発行応答を無線機２２へ送信する（ステップＳ１０５）。
【００４８】
無線機２２は、ゲートウェイ無線機２１から送信される番号発行応答を受信した場合、受信した番号発行応答に含まれる無線機番号を抽出し、自機の無線機番号として記憶部２２１に記憶させる（ステップＳ１０６）。また、無線機２２は、ゲートウェイ無線機２１から発行された無線機番号を、自機のホップ数（＝０）に関連付けてホップ数テーブルに記憶させる。
【００４９】
以上の手順により、無線機２２に対して無線機番号が発行される。本実施の形態では、各無線機を設定する前に、無線機番号を発行すべき無線機２２の台数分だけ同様の手順を繰り返し、各無線機２２，２２，…，２２に対してそれぞれを識別する無線機番号を発行しておく。
【００５０】
以下、無線機２２の設置時の動作について説明する。
図５はゲートウェイ無線機２１からのホップ数が１となる無線機２２Ａ〜２２Ｃを設置した状態を示す模式図であり、図６はゲートウェイ無線機２１及び無線機２２Ａの動作手順を説明するタイミングチャートである。図５はゲートウェイ無線機２１からのホップ数が１となる番号発行済みの３台の無線機２２Ａ，２２Ｂ，２２Ｃを設置した状態を簡略的に示したものである。なお、図５では、ゲートウェイ無線機２１を「Ｚ」の符号により表記し、無線機２２Ａ〜２２Ｃをそれぞれ「Ａ」〜「Ｃ」の符号により表記している。
【００５１】
ゲートウェイ無線機２１及び番号発行済みの無線機２２Ａ〜２２Ｃをそれぞれ適宜の設置場所に設置して、ゲートウェイ無線機２１、無線機２２Ａ、無線機２２Ｂ、無線機２２Ｃの順に起動させる。
【００５２】
無線機２２Ａは、予め定められた起動操作を操作部２２５にて受付けた場合、ハードウェア各部を起動させる起動処理を行う（ステップＳ１１１）。無線機２２Ａは、起動後、ゲートウェイ無線機２１から送信されるＲＮＯを待ち受ける受信待ちの状態となる。
【００５３】
ゲートウェイ無線機２１は、他の無線機２２と通信を行っていない状況下で、狭域無線通信部２１３よりＲＮＯを間欠的に送信する（ステップＳ１１２）。
【００５４】
無線機２２Ａは、ゲートウェイ無線機２１から送信されるＲＮＯを狭域無線通信部２２２にて受信した場合、ゲートウェイ無線機２１との間でホップ数テーブルの交換を行う。このとき、無線機２２Ａは、自機の記憶部２２１に記憶されたホップ数テーブルをゲートウェイ無線機２１へ送信し（ステップＳ１１３）、ゲートウェイ無線機２１は、自機の記憶部２１１に記憶されたホップ数テーブルを無線機２２Ａへ送信する（ステップＳ１１４）。ゲートウェイ無線機２１及び無線機２２Ａは、それぞれ相手から送信されるホップ数テーブルを受信した場合、受信したホップ数テーブルに含まれる情報に基づき、それぞれが備えるホップ数テーブルを更新する。
【００５５】
ゲートウェイ無線機２１は、ホップ数テーブルの交換によって得られる情報に基づき、新たな無線機（すなわち無線機２２Ａ）を検出した場合、ゲートウェイ無線機２１の固有の識別子であるＮＣＵ−ＩＤを含んだＮＣＵ更新通知を無線機２２Ａへ送信する（ステップＳ１１５）。
【００５６】
無線機２２Ａは、ゲートウェイ無線機２１から送信されるＮＣＵ更新通知を受信した場合、ＮＣＵ更新通知に含まれるＮＣＵ−ＩＤを記憶部２２１に記憶させると共に（ステップＳ１１６）、無線機２２Ａの接続ポート２２３に接続されたメータ２３の識別子であるメータＩＤを含んだＮＣＵ更新応答をゲートウェイ無線機２１へ送信する（ステップＳ１１７）。
【００５７】
ゲートウェイ無線機２１は、無線機２２Ａから送信されるＮＣＵ更新応答を受信した場合、ＮＣＵ更新応答に含まれるメータＩＤを無線機２２Ａの無線機ＩＤに関連付けて記憶部２１１に記憶させる（ステップＳ１１８）。
【００５８】
以上の手順により、無線機２２Ａは狭域無線網Ｎ２に接続され、センタ１０から送信されるパケットをゲートウェイ無線機２１経由で受信することができると共に、ゲートウェイ無線機２１経由でセンタ１０宛のパケットを送信することができる。
【００５９】
次いで、ゲートウェイ無線機２１は、無線機番号を発行済みであり、かつ狭域無線網Ｎ２に未接続の無線機（すなわち無線機２２Ｂ〜２２Ｇ）の無線機番号を含んだ発行済み番号通知を無線機２２Ａへ通知する（ステップＳ１１９）。
【００６０】
無線機２２Ａは、ゲートウェイ無線機２１から送信される発行済み番号通知を受信した場合、発行済み番号通知に含まれる無線機番号によって識別される無線機２２Ｂ〜２２Ｇが起動されるのを待ち受ける起動待ちの状態に移行する（ステップＳ１２０）。
【００６１】
図６のタイミングチャートでは、無線機２２Ａを狭域無線網Ｎ２に接続する手順について説明したが、同様の手順により、ゲートウェイ無線機２１からのホップ数が１となる無線機２２Ｂ，２２Ｃを狭域無線網Ｎ２に接続することができる。ただし、無線機２２Ａを狭域無線網Ｎ２に接続した後に、無線機２２Ｂを接続した場合、無線機番号を発行済みであり、かつ狭域無線網Ｎ２に未接続の無線機は、無線機２２Ｃ〜２２Ｇとなるので、無線機２２Ｂには、ゲートウェイ無線機２１から送信される発行済み番号通知により無線機２２Ｃ〜２２Ｇの無線機番号が通知される。また、無線機２２Ａ，２２Ｂを狭域無線網Ｎ２に接続した後に、無線機２２Ｃを接続した場合、無線機番号を発行済みであり、かつ狭域無線網Ｎ２に未接続の無線機は、無線機２２Ｄ〜２２Ｇとなるので、無線機２２Ｃには、ゲートウェイ無線機２１から送信される発行済み番号通知により無線機２２Ｄ〜２２Ｇの無線機番号が通知される。
【００６２】
次に、ゲートウェイ無線機２１及び無線機２２Ａ〜２２Ｃが接続済みとなった狭域無線網Ｎ２に、番号発行済みの無線機２２Ｄ〜２２Ｆを新たに接続する場合の動作手順について説明する。
【００６３】
図７はゲートウェイ無線機２１からのホップ数が２となる無線機２２Ｄ〜２２Ｆを設置した状態を示す模式図であり、図８はゲートウェイ無線機２１及び無線機２２Ｄの動作手順を説明するタイミングチャートである。図７はゲートウェイ無線機２１からのホップ数が１となる接続済みの無線機２２Ａ〜２２Ｃに加え、ホップ数が２となる番号発呼済みの無線機２２Ｄ〜２２Ｆを設置した状態を簡略的に示したものである。なお、図７では、ゲートウェイ無線機２１を「Ｚ」の符号により表記し、無線機２２Ａ〜２２Ｆをそれぞれ「Ａ」〜「Ｆ」の符号により表記している。
【００６４】
狭域無線網Ｎ２に新たに接続する無線機２２Ｄ〜２２Ｆをそれぞれ適宜の設置場所に設置した後、無線機２２Ｄ〜２２Ｆを順次起動させる。
【００６５】
無線機２２Ｄは、予め定められた起動操作を操作部２２５にて受付けた場合、ハードウェア各部を起動させる起動処理を行う（ステップＳ１３１）。無線機２２Ｄは、起動後、無線機２２Ａ又は２２Ｂから送信されるＲＮＯを待ち受ける受信待ちの状態となる。
【００６６】
無線機２２Ａ〜２２Ｃは、他の無線機と通信を行っていない状況下で、狭域無線通信部２１３よりＲＮＯを間欠的に送信する（ステップＳ１３２）。
【００６７】
無線機２２Ｄは、例えば無線機２２Ａから送信されるＲＮＯを狭域無線通信部２２２にて受信した場合、無線機２２Ａとの間でホップ数テーブルの交換を行う。このとき、無線機２２Ｄは、自機の記憶部２２１に記憶されたホップ数テーブルを無線機２２Ａへ送信し（ステップＳ１３３）、無線機２２Ａは、自機の記憶部２２１に記憶されたホップ数テーブルを無線機２２Ｄへ送信する（ステップＳ１３４）。無線機２２Ｄ及び無線機２２Ａは、それぞれ相手から送信されるホップ数テーブルを受信した場合、受信したホップ数テーブルに含まれる情報に基づき、それぞれが備えるホップ数テーブルを更新する。
【００６８】
無線機２２Ａは、ホップ数テーブルの交換によって得られる情報に基づき、番号発行済み判定を行う（ステップＳ１３５）。すなわち、無線機２２Ａは、無線機２２Ｄから得られるホップ数テーブルに含まれる無線機番号（無線機２２Ｄの無線機番号）が、発行済み番号通知によりゲートウェイ無線機２１から通知された無線機番号に一致するか否かの判定を行う。
【００６９】
無線機２２Ａは、番号発行済み判定により、新たに設置された無線機（図８の例では無線機２２Ｄ）を検出した場合、検出した無線機２２Ｄの無線機番号を含んだ検出通知をゲートウェイ無線機２１へ送信する（ステップＳ１３６）。
【００７０】
ゲートウェイ無線機２１は、無線機２２Ｄの検出通知を無線機２２Ａから受信した場合、ゲートウェイ無線機２１及び無線機２２Ｄ間で利用する固定的な通信経路として、無線機２２Ａを経由して無線機２２Ｄに至る仮ルートを設定する（ステップＳ１３７）。仮ルートを設定した場合、ゲートウェイ無線機２１は、ゲートウェイ無線機２１及び無線機２２Ｄ間に仮ルートを設定した旨の通知を無線機２２Ｄへ送信する（ステップＳ１３８）。
【００７１】
無線機２２Ｄは、ゲートウェイ無線機２１からの通知を受信した場合、無線機２２Ｄ及びゲートウェイ無線機２１間で利用する固定的な通信経路として、無線機２２Ａを経由してゲートウェイ無線機２１に至る仮ルートを設定する（ステップＳ１３９）。仮ルートを設定した場合、無線機２２Ｄは、無線機２２Ｄ及びゲートウェイ無線機２１間に仮ルートを設定した旨の通知をゲートウェイ無線機２１へ送信する（ステップＳ１４０）。
【００７２】
次いで、ゲートウェイ無線機２１は、設定した仮ルートを利用して、ゲートウェイ無線機２１の固有の識別子であるＮＣＵ−ＩＤを含んだＮＣＵ更新通知を無線機２２Ｄへ送信する（ステップＳ１４１）。
【００７３】
無線機２２Ｄは、ゲートウェイ無線機２１から送信されるＮＣＵ更新通知を受信した場合、ＮＣＵ更新通知に含まれるＮＣＵ−ＩＤを記憶部２２１に記憶させると共に（ステップＳ１４２）、設定した仮ルートを利用して、無線機２２Ｄの接続ポート２２３に接続されたメータ２３の識別子であるメータＩＤを含んだＮＣＵ更新応答をゲートウェイ無線機２１へ送信する（ステップＳ１４３）。
【００７４】
ゲートウェイ無線機２１は、無線機２２Ｄから送信されるＮＣＵ更新応答を受信した場合、ＮＣＵ更新応答に含まれるメータＩＤを無線機２２Ｄの無線機ＩＤに関連付けて記憶部２１１に記憶させる（ステップＳ１４４）。
【００７５】
以上の手順により、無線機２２Ｄは狭域無線網Ｎ２に接続され、センタ１０から送信されるパケットを、ゲートウェイ無線機２１及び無線機２２Ａを経由する仮ルートを通じて受信することができ、センタ１０へ送信すべきパケットを、無線機２２Ａ及びゲートウェイ無線機２１を経由する仮ルートを通じて送信することができる。
【００７６】
なお、ゲートウェイ無線機２１と無線機２２Ｄとの間に無線機２２Ａを経由する仮ルートが設定され、ゲートウェイ無線機２１が無線機２２Ｄ宛のパケットを受信したとき、ゲートウェイ無線機２１は、無線機２２Ｄ宛のパケットを無線機２２Ａ以外の隣接無線機（無線機２２Ｂ，２２Ｃ）へ送信することを禁止する。また、無線機２２Ｄとゲートウェイ無線機２１との間に無線機２２Ａを経由する仮ルートが設定され、無線機２２Ｄがセンタ１０宛のパケットを送信するとき、無線機２２Ｄは、センタ１０宛のパケットを無線機２２Ａ以外の隣接無線機（例えば無線機２２Ｂ）へ送信することを禁止する。
【００７７】
次いで、ゲートウェイ無線機２１は、無線機番号を発行済みであり、かつ狭域無線網Ｎ２に未接続の無線機（すなわち無線機２２Ｅ〜２２Ｇ）の無線機番号を含んだ発行済み番号通知を仮ルートを利用して無線機２２Ｄへ通知する（ステップＳ１４５）。
【００７８】
無線機２２Ｄは、ゲートウェイ無線機２１から送信される発行済み番号通知を受信した場合、発行済み番号通知に含まれる無線機番号によって識別される無線機２２Ｅ〜２２Ｇが起動されるのを待ち受ける起動待ちの状態に移行する（ステップＳ１４６）。
【００７９】
図８のタイミングチャートでは、無線機２２Ｄを狭域無線網Ｎ２に接続する手順について説明したが、同様の手順により、ゲートウェイ無線機２１からのホップ数が２となる無線機２２Ｅ，２２Ｆを狭域無線網Ｎ２に接続することができる。ただし、無線機２２Ａ〜２２Ｄを狭域無線網Ｎ２に接続した後に、無線機２２Ｅを接続した場合、無線機番号を発行済みであり、かつ狭域無線網Ｎ２に未接続の無線機は、無線機２２Ｆ〜２２Ｇとなるので、無線機２２Ｅには、ゲートウェイ無線機２１から送信される発行済み番号通知により無線機２２Ｆ〜２２Ｇの無線機番号が通知される。また、無線機２２Ａ〜２２Ｅを狭域無線網Ｎ２に接続した後に、無線機２２Ｆを接続した場合、無線機番号を発行済みであり、かつ狭域無線網Ｎ２に未接続の無線機は、無線機２２Ｇとなるので、無線機２２Ｆには、ゲートウェイ無線機２１から送信される発行済み番号通知により無線機２２Ｇの無線機番号が通知される。
【００８０】
次に、ゲートウェイ無線機２１及び無線機２２Ａ〜２２Ｆが接続済みとなった狭域無線網Ｎ２に対し、番号発行済みの無線機２２Ｇを新たに接続する場合の動作手順について説明する。
【００８１】
図９はゲートウェイ無線機２１からのホップ数が３となる無線機２２Ｇを設置した状態を示す模式図であり、図１０はゲートウェイ無線機２１及び無線機２２Ｇの動作手順を説明するタイミングチャートである。図９はゲートウェイ無線機２１からのホップ数が１となる接続済みの無線機２２Ａ〜２２Ｃ、ゲートウェイ無線機２１からのホップ数が２となる接続済みの無線機２２Ｄ〜２２Ｆに加え、ホップ数が３となる番号発呼済みの無線機２２Ｇを設置した状態を簡略的に示したものである。なお、図９では、ゲートウェイ無線機２１を「Ｚ」の符号により表記し、無線機２２Ａ〜２２Ｇをそれぞれ「Ａ」〜「Ｇ」の符号により表記している。
【００８２】
狭域無線網Ｎ２に新たに接続する無線機２２Ｇをそれぞれ適宜の設置場所に設置した後、無線機２２Ｇを起動させる。
【００８３】
無線機２２Ｇは、予め定められた起動操作を操作部２２５にて受付けた場合、ハードウェア各部を起動させる起動処理を行う（ステップＳ１５１）。無線機２２Ｄは、起動後、無線機２２Ｄ又は２２Ｅから送信されるＲＮＯを待ち受ける受信待ちの状態となる。
【００８４】
無線機２２Ｄ，２２Ｅは、他の無線機と通信を行っていない状況下で、狭域無線通信部２１３よりＲＮＯを間欠的に送信する（ステップＳ１５２）。
【００８５】
無線機２２Ｇは、例えば無線機２２Ｄから送信されるＲＮＯを狭域無線通信部２２２にて受信した場合、無線機２２Ｄとの間でホップ数テーブルの交換を行う。このとき、無線機２２Ｇは、自機の記憶部２２１に記憶されたホップ数テーブルを無線機２２Ｄへ送信し（ステップＳ１５３）、無線機２２Ｄは、自機の記憶部２２１に記憶されたホップ数テーブルを無線機２２Ｇへ送信する（ステップＳ１５４）。無線機２２Ｇ及び無線機２２Ｄは、それぞれ相手から送信されるホップ数テーブルを受信した場合、受信したホップ数テーブルに含まれる情報に基づき、それぞれが備えるホップ数テーブルを更新する。
【００８６】
無線機２２Ｄは、ホップ数テーブルの交換によって得られる情報に基づき、番号発行済み判定を行う（ステップＳ１５５）。すなわち、無線機２２Ｄは、無線機２２Ｇから得られるホップ数テーブルに含まれる無線機番号（無線機２２Ｇの無線機番号）が、発行済み番号通知によりゲートウェイ無線機２１から通知された無線機番号に一致するか否かの判定を行う。
【００８７】
無線機２２Ｄは、番号発行済み判定により、新たに設置された無線機（図１０の例では無線機２２Ｇ）を検出した場合、検出した無線機２２Ｇの無線機番号を含んだ検出通知をゲートウェイ無線機２１へ送信する（ステップＳ１５６）。このとき、無線機２２Ｄは、自機とゲートウェイ無線機２１との間に設定した仮ルートを利用して検出通知をゲートウェイ無線機２１へ送信することができる。
【００８８】
ゲートウェイ無線機２１は、無線機２２Ｄから送信される検出通知を受信した場合、ゲートウェイ無線機２１及び無線機２２Ｇ間で利用する固定的な通信経路として、無線機２２Ａ，２２Ｄを経由して無線機２２Ｇに至る仮ルートを設定する（ステップＳ１５７）。仮ルートを設定した場合、ゲートウェイ無線機２１は、ゲートウェイ無線機２１及び無線機２２Ｇ間に仮ルートを設定した旨の通知を無線機２２Ｇへ送信する（ステップＳ１５８）。
【００８９】
無線機２２Ｇは、ゲートウェイ無線機２１からの通知を受信した場合、無線機２２Ｇ及びゲートウェイ無線機２１間で利用する固定的な通信経路として、無線機２２Ｄ，２２Ａを経由してゲートウェイ無線機２１に至る仮ルートを設定する（ステップＳ１５９）。仮ルートを設定した場合、無線機２２Ｇは、無線機２２Ｇ及びゲートウェイ無線機２１間に仮ルートを設定した旨の通知をゲートウェイ無線機２１へ送信する（ステップＳ１６０）。
【００９０】
次いで、ゲートウェイ無線機２１は、設定した仮ルートを利用して、ゲートウェイ無線機２１の固有の識別子であるＮＣＵ−ＩＤを含んだＮＣＵ更新通知を無線機２２Ｇへ送信する（ステップＳ１６１）。
【００９１】
無線機２２Ｇは、ゲートウェイ無線機２１から送信されるＮＣＵ更新通知を受信した場合、ＮＣＵ更新通知に含まれるＮＣＵ−ＩＤを記憶部２２１に記憶させると共に（ステップＳ１６２）、設定した仮ルートを利用して、無線機２２Ｇの接続ポート２２３に接続されたメータ２３の識別子であるメータＩＤを含んだＮＣＵ更新応答をゲートウェイ無線機２１へ送信する（ステップＳ１６３）。
【００９２】
ゲートウェイ無線機２１は、無線機２２Ｇから送信されるＮＣＵ更新応答を受信した場合、ＮＣＵ更新応答に含まれるメータＩＤを無線機２２Ｇの無線機ＩＤに関連付けて記憶部２１１に記憶させる（ステップＳ１６４）。
【００９３】
以上の手順により、無線機２２Ｇは狭域無線網Ｎ２に接続され、センタ１０から送信されるパケットを、ゲートウェイ無線機２１及び無線機２２Ａ，２２Ｄを経由する仮ルートを通じて受信することができ、センタ１０へ送信すべきパケットを、無線機２２Ａ，２２Ｄ及びゲートウェイ無線機２１を経由する仮ルートを通じて送信することができる。
【００９４】
無線機２２Ｇが狭域無線網Ｎ２に接続された時点で、無線機番号を発行済みであり、かつ狭域無線網Ｎ２に未接続の無線機２２は存在しないため、ゲートウェイ無線機２１は、発行済みの無線機番号を各無線機２２は送信する必要はない。
【００９５】
なお、ゲートウェイ無線機２１と無線機２２Ｇとの間に無線機２２Ａ，２２Ｄを経由する仮ルートが設定され、ゲートウェイ無線機２１が無線機２２Ｇ宛のパケットを受信したとき、ゲートウェイ無線機２１は、無線機２２Ｇ宛のパケットを無線機２２Ａ以外の隣接無線機（無線機２２Ｂ，２２Ｃ）へ送信することを禁止する。また、無線機２２Ｇとゲートウェイ無線機２１との間に無線機２２Ｄ，２２Ａを経由する仮ルートが設定され、無線機２２Ｇがセンタ１０宛のパケットを送信するとき、無線機２２Ｇは、センタ１０宛のパケットを無線機２２Ｄ以外の隣接無線機（無線機２２Ｅ）へ送信することを禁止する。
【００９６】
以上のように、実施の形態１では、無線機番号を発行済みであり、かつ狭域無線網Ｎ２に未接続の無線機２２（新規設置端末）を検出した場合、ゲートウェイ無線機と新規設置端末との間に仮ルートを設定することができるので、ゲートウェイ無線機２１が新規設置端末の無線機番号を含むホップ数テーブルを取得する前に、ゲートウェイ無線機２１と新規設置端末との間の通信経路を確保することができ、新規設置端末の開通処理に要する時間を短縮することができる。
【００９７】
（実施の形態２）
実施の形態２では、新規設置端末の開通処理を終えた後、新規設置端末によるＲＮＯの収集を所定時間禁止する形態について説明する。
なお、無線テレメータシステムのシステム構成、ゲートウェイ無線機２１及び無線機２２の内部構成については実施の形態１と同様であるため、それらの説明を省略する。
【００９８】
図１１は発行済み番号通知を受信した無線機２２Ｄが実行する処理を説明するタイミングチャートである。上述したように、無線機２２Ｄは、ゲートウェイ無線機２１から送信される発行済み番号通知を受信した場合、無線機２２Ｅ〜２２Ｇが起動されるのを待ち受ける起動待ちの状態となる（図８のタイミングチャートを参照）。起動待ちの状態となった場合、無線機２２Ｄは、隣接無線機（例えば無線機２２Ａ，２２Ｂ）から送信されるＲＮＯの受信を所定時間（たとえば１２時間）禁止するＲＮＯ収集禁止期間に移行する（ステップＳ２０１）。
【００９９】
無線機２２Ｄの制御部２２０は、ＲＮＯ収集禁止期間に移行してからの経過時間を内蔵タイマを用いて経時し、所定時間経過後にＲＮＯの収集禁止を解除する（ステップＳ２０２）。
【０１００】
無線機２２Ａは、自機が他の無線機から送信されるパケットを受信可能な状態にある場合、ＲＮＯを間欠的に送信する（Ｓ２０３）。無線機２２Ｄは、ＲＮＯの収集禁止を解除した後、例えば無線機２２Ａから送信されるＲＮＯを受信した場合、無線機２２Ａとの間でホップ数テーブルの交換を行う。このとき、無線機２２Ｄは、自機の記憶部２２１に記憶されたホップ数テーブルを無線機２２Ａへ送信し（ステップＳ２０４）、無線機２２Ａは、自機の記憶部２２１に記憶されたホップ数テーブルを無線機２２Ｄへ送信する（ステップＳ２０５）。無線機２２Ｄ及び無線機２２Ａは、それぞれ相手から送信されるホップ数テーブルを受信した場合、受信したホップ数テーブルに含まれる情報に基づき、それぞれが備えるホップ数テーブルを更新する。
【０１０１】
ゲートウェイ無線機２１は、自機が他の無線機から送信されるパケットを受信可能な状態にある場合、ＲＮＯを間欠的に送信する（ステップＳ２０６）。無線機２２Ａ、ゲートウェイ無線機２１から送信されるＲＮＯを受信した場合、ゲートウェイ無線機２１との間でホップ数テーブルの交換を行う。このとき、無線機２２Ａは、自機の記憶部２２１に記憶されたホップ数テーブルをゲートウェイ無線機２１へ送信し（ステップＳ２０７）、ゲートウェイ無線機２１は、自機の記憶部２１１に記憶されたホップ数テーブルを無線機２２Ａへ送信する（ステップＳ２０８）。無線機２２Ａ及びゲートウェイ無線機２１は、それぞれ相手から送信されるホップ数テーブルを受信した場合、受信したホップ数テーブルに含まれる情報に基づき、それぞれが備えるホップ数テーブルを更新する。
【０１０２】
次いで、ゲートウェイ無線機２１は、無線機２２Ｄに対して仮ルートの解除を通知する（ステップＳ２０９）。
【０１０３】
無線機２２Ｄは、仮ルートの解除に係る通知をゲートウェイ無線機２１から受信した場合、当該通知に対する応答をゲートウェイ無線機２１へ返信すると共に（ステップＳ２１０）、ゲートウェイ無線機２１との間の仮ルートを解除する（ステップＳ２１１）。また、ゲートウェイ無線機２１は、無線機２２Ｄからの応答を受信した場合、無線機２２Ｄとの間の仮ルートを解除する（ステップＳ２１２）。
【０１０４】
図１１に示すタイミングチャートでは、発行済み番号通知を受信した無線機２２Ｄが実行する処理について説明したが、発行済み番号通知を受信した他の無線機２２が実行する処理についても無線機２２Ｄと同様である。
【０１０５】
以上のように、新規設置端末は、ゲートウェイ無線機２１から送信される発行済み番号通知を受信した場合、ＲＮＯの受信を禁止するＲＮＯ収集禁止期間を設けるので、他の無線機２２の開通処理を妨げないようにすることができる。
【０１０６】
（実施の形態３）
実施の形態３では、複数の仮ルートを設定し得る場合、通信環境等を鑑みて、より適切な仮ルートを設定する構成について説明する。
なお、無線テレメータシステムのシステム構成、ゲートウェイ無線機２１及び無線機２２の内部構成については実施の形態１と同様であるため、それらの説明を省略する。
【０１０７】
ゲートウェイ無線機２１及び無線機２２Ａ〜２２Ｃが接続済みの狭域無線網Ｎ２に対し、番号発行済みの無線機２２Ｄを新たに接続する場合の処理手順を説明する。
【０１０８】
図１２はゲートウェイ無線機２１からのホップ数が２となる無線機２２Ｄを設置した状態を示す模式図であり、図１３は番号発行済みの無線機２２Ｄが実行する処理の手順を説明するフローチャートである。図１２はゲートウェイ無線機２１からのホップ数が１となる無線機２２Ａ〜２２Ｃを狭域無線網Ｎ２に接続した後、番号発行済みの無線機２２Ｄを設置した状態を示している。なお、図１２では、ゲートウェイ無線機２１を「Ｚ」の符号により表記し、無線機２２Ａ〜２２Ｄをそれぞれ「Ａ」〜「Ｄ」の符号により表記している。
【０１０９】
無線機２２Ｄは、予め定められた起動操作を操作部２２５にて受付けた場合、ハードウェア各部を起動させる起動処理を行う（ステップＳ３０１）。起動後、無線機２２Ｄの制御部２２０は、ＲＮＯを一定期間（例えば３０分）収集するＲＮＯ収集期間に移行する（ステップＳ３０２）。
【０１１０】
無線機２２Ｄの制御部２２０は、ＲＮＯ収集期間において受信したＲＮＯの信号強度に係る情報を取得し（ステップＳ３０３）、受信したＲＮＯの送信元である無線機（図１２の例では無線機２２Ａ又は２２Ｂ）の無線機番号と、ＲＮＯの信号強度とを関連付けて記憶部２２１に記憶させる（ステップＳ３０４）。
なお、ＲＮＯの信号強度は、アンテナ２２２ａにて受信した電波の電界強度として計測することが可能である。
【０１１１】
無線機２２Ｄの制御部２２０は、内蔵タイマの出力を参照することにより、ＲＮＯ収集期間が終了したか否かを判断する（ステップＳ３０５）。ＲＮＯ収集期間が終了していない場合（Ｓ３０５：ＮＯ）、制御部２２０は、処理をステップＳ３０３へ戻し、ＲＮＯの収集を継続して行う。
【０１１２】
ＲＮＯ収集期間が終了したと判断した場合（Ｓ３０５：ＹＥＳ）、制御部２２０は、記憶部２２１に記憶した信号強度に基づき、仮ルートとして経由すべき無線機（無線機２２Ａ又は無線機２２Ｂ）を決定する（ステップＳ３０６）。例えば、無線機２２Ａから受信したＲＮＯの信号強度が、無線機２２Ｂから受信したＲＮＯの信号強度より大きい場合、無線機２２Ｄの制御部２２０は、無線機２２Ａを仮ルートとして経由すべき無線機として決定することができる。
【０１１３】
なお、仮ルートとして経由すべき無線機を決定した後の処理は、実施の形態１と同様である。
【０１１４】
以上のように、実施の形態３では、仮ルートを設定する際に、より通信環境の良い通信経路を選択することが可能となる。
【０１１５】
（実施の形態４）
実施の形態４では、ゲートウェイ無線機２１までの通信が可能となった無線機２２がＲＮＯを送信する際、その旨を示すフラグをＲＮＯに付加する構成について説明する。
なお、無線テレメータシステムのシステム構成、ゲートウェイ無線機２１及び無線機２２の内部構成については実施の形態１と同様であるため、それらの説明を省略する。
【０１１６】
図１４は実施の形態４に係るゲートウェイ無線機２１及び無線機２２Ｄの動作手順を説明するタイミングチャートである。図１４はゲートウェイ無線機２１からのホップ数が１となる接続済みの無線機２２Ａ〜２２Ｃに加え、ホップ数が２となる番号発呼済みの無線機２２Ｄを設置し、無線機２２Ｄを起動した後の動作手順を示している。
【０１１７】
無線機２２Ｄは、予め定められた起動操作を操作部２２５にて受付けた場合、ハードウェア各部を起動させる起動処理を行う（ステップＳ４０１）。無線機２２Ｄの制御部２２０は、起動後、ＲＮＯの受信待ちの状態となる。
【０１１８】
無線機２２Ａ〜２２Ｃは、他の無線機と通信を行っていない状況下で、狭域無線通信部２１３よりＲＮＯを間欠的に送信する（ステップＳ４０２）。無線機２２Ａ〜２２Ｃは、ゲートウェイ無線機２１までの通信が可能であるため、ステップＳ４０２では、ゲートウェイ無線機２１までの通信が可能であることを示すフラグ（ＧＷ通信可）を付加したＲＮＯを間欠的に送信する。
【０１１９】
無線機２２Ｄは、他の無線機２２から送信されるＲＮＯを受信した場合、ホップ数テーブルの交換先判定を行う（ステップＳ４０３）。ホップ数テーブルの交換先判定では、ゲートウェイ無線機２１までの通信が可能であることを示すフラグがＲＮＯに付加されているか否かを判断することにより、交換先の適否を判定する。すなわち、受信したＲＮＯに前記フラグが付加されている場合、交換先として適切であると判定し、無線機２２Ｄは、当該ＲＮＯの送信元とホップ数テーブルの交換を行う。一方、受信したＲＮＯに前記フラグが付加されていない場合、交換先として不適切であると判定し、無線機２２Ｄは、当該ＲＮＯの送信元とはホップ数テーブルの交換は行わずに、ＲＮＯの受信待ちの状態となる。
【０１２０】
例えば、無線機２２Ａから送信されるＲＮＯにはゲートウェイ無線機２１までの通信が可能であることを示すフラグが付加されるので、無線機２２Ａから送信されるＲＮＯをを狭域無線通信部２２２にて受信した場合、無線機２２Ｄは、無線機２２Ａとの間でホップ数テーブルの交換を行う。以降の処理は、実施の形態１と同様である。
【０１２１】
すなわち、無線機２２Ｄは、自機の記憶部２２１に記憶されたホップ数テーブルを無線機２２Ａへ送信し（ステップＳ４０４）、無線機２２Ａは、自機の記憶部２２１に記憶されたホップ数テーブルを無線機２２Ｄへ送信する（ステップＳ４０５）。
【０１２２】
無線機２２Ａは、ホップ数テーブルの交換によって得られる情報に基づき、番号発行済み判定を行い（ステップＳ４０６）、番号発行済み判定により、新たに設置された無線機２２（図１４の例では無線機２２Ｄ）を検出した場合、検出した無線機２２Ｄの無線機番号を含んだ検出通知をゲートウェイ無線機２１へ送信する（ステップＳ４０７）。
【０１２３】
ゲートウェイ無線機２１は、無線機２２Ｄの検出通知を無線機２２Ａから受信した場合、無線機２２Ａを経由して無線機２２Ｄに至る仮ルートを設定し（ステップＳ４０８）、仮ルートを設定した旨の通知を無線機２２Ｄへ送信する（ステップＳ４０９）。
【０１２４】
無線機２２Ｄは、ゲートウェイ無線機２１からの通知を受信した場合、無線機２２Ａを経由してゲートウェイ無線機２１に至る仮ルートを設定し（ステップＳ４１０）、仮ルートを設定した旨の通知をゲートウェイ無線機２１へ送信する（ステップＳ４１１）。
【０１２５】
次いで、ゲートウェイ無線機２１は、設定した仮ルートを利用して、ゲートウェイ無線機２１の固有の識別子であるＮＣＵ−ＩＤを含んだＮＣＵ更新通知を無線機２２Ｄへ送信する（ステップＳ４１２）。
【０１２６】
無線機２２Ｄは、ゲートウェイ無線機２１から送信されるＮＣＵ更新通知を受信した場合、ＮＣＵ更新通知に含まれるＮＣＵ−ＩＤを記憶部２２１に記憶させると共に（ステップＳ４１３）、設定した仮ルートを利用して、無線機２２Ｄの接続ポート２２３に接続されたメータ２３の識別子であるメータＩＤを含んだＮＣＵ更新応答をゲートウェイ無線機２１へ送信する（ステップＳ４１４）。
【０１２７】
ゲートウェイ無線機２１は、無線機２２Ｄから送信されるＮＣＵ更新応答を受信した場合、ＮＣＵ更新応答に含まれるメータＩＤを無線機２２Ｄの無線機ＩＤに関連付けて記憶部２１１に記憶させる（ステップＳ４１５）。
【０１２８】
以上の手順により、無線機２２Ｄは狭域無線網Ｎ２に接続され、センタ１０から送信されるパケットを、ゲートウェイ無線機２１及び無線機２２Ａを経由する仮ルートを通じて受信することができ、センタ１０へ送信すべきパケットを、無線機２２Ａ及びゲートウェイ無線機２１を経由する仮ルートを通じて送信することができる。
【０１２９】
次いで、ゲートウェイ無線機２１は、無線機番号を発行済みであり、かつ狭域無線網Ｎ２に未接続の無線機（すなわち無線機２２Ｅ〜２２Ｇ）の無線機番号を含んだ発行済み番号通知を仮ルートを利用して無線機２２Ｄへ通知する（ステップＳ４１６）。
【０１３０】
無線機２２Ｄは、ゲートウェイ無線機２１から送信される発行済み番号通知を受信した場合、発行済み番号通知に含まれる無線機番号によって識別される無線機２２Ｅ〜２２Ｇが起動されるのを待ち受ける起動待ちの状態に移行する（ステップＳ４１７）。
【０１３１】
以上のように、実施の形態４では、新規設置端末は、既にゲートウェイ無線機２１までの通信が可能となっている無線機２２を経由してホップ数テーブルの交換を行うので、ゲートウェイ無線機２１と新規設置端末との間に確実に仮ルートを設定することができる。
【０１３２】
今回開示された実施の形態は、全ての点で例示であって、制限的なものではないと考えられるべきである。本発明の範囲は、上述した意味ではなく、特許請求の範囲によって示され、特許請求の範囲と均等の意味及び範囲内での全ての変更が含まれることが意図される。
【０１３３】
例えば、本実施の形態では、本発明の無線通信システムを無線テレメータシステムに適用した形態について説明したが、無線テレメータシステム以外の任意の無線通信システムに適用することが可能である。
【０１３４】
以上の実施の形態に関し、更に以下の付記を開示する。
【０１３５】
本願の無線通信システムは、メッシュ型の無線網（Ｎ２）に接続される無線機（２２）に対して識別子を発行する識別子発行部（２１０）を備え、前記無線網（Ｎ２）に接続された無線機（２２）と無線通信を行うと共に、前記無線網（Ｎ２）とは異なる通信網（Ｎ１）を介して外部通信装置（１０）と通信を行うゲートウェイ無線機（２１）と、前記識別子発行部（２１０）より発行された識別子を有する複数の無線機（２２）とを含む無線通信システムにおいて、前記ゲートウェイ無線機（２１）は、前記無線網（Ｎ２）に未接続の無線機（２２）に対して発行した識別子を、前記無線網（Ｎ２）に接続済みの無線機（２２）へ通知する通知部（２１３）を備え、前記無線機（２２）は、前記ゲートウェイ無線機（２１）より通知された識別子を記憶する記憶部（２２１）と、該記憶部（２２１）に記憶した識別子により識別される無線機を検出する検出部（２２０）と、該検出部（２２０）により前記無線機（２２）を検出した場合、検出した前記無線機（２２）の識別子を含む検出通知を前記ゲートウェイ無線機（２１）へ送信する送信部（２２２）とを備え、前記ゲートウェイ無線機（２１）は、前記検出通知を受信した場合、前記無線機（２２）と前記ゲートウェイ無線機（２１）との間に、前記検出通知の送信元を経由する一の通信経路を設定する経路設定部（２１０）を備えることを特徴とする。
【０１３６】
本願では、識別子を発行済みであり、かつ無線網に未接続の無線機（新規設置端末）を検出した場合、ゲートウェイ無線機と新規設置端末との間に仮ルートを設定することができるので、ゲートウェイ無線機が新規設置端末の識別子を含むホップ数テーブルを取得する前に、ゲートウェイ無線機と新規設置端末との間の通信経路を確保することができ、新規設置端末の開通処理に要する時間を短縮することができる。
【０１３７】
本願の無線通信システムは、各無線機（２２）は、自機の識別子を含む１又は複数の識別子と、該識別子により識別される無線機（２２）までのホップ数とを関連付けて記憶するホップ数テーブルと、他の無線機（２２）から、該他の無線機（２２）が有するホップ数テーブルを取得する取得部（２２２）と、該取得部（２２２）にて取得したホップ数テーブルに基づき、自機が有するホップ数テーブルを更新する更新部（２２０）とを備え、前記検出部（２２０）は、前記取得部（２２２）にて取得したホップ数テーブルを参照し、前記記憶部（２２１）に記憶した識別子により識別される無線機（２２）を検出することを特徴とする。
【０１３８】
本願では、取得したホップ数テーブル内に、ゲートウェイ無線機から通知された識別子が含まれているか否かを判断することにより、新規設置端末を検出することができる。
【０１３９】
本願の無線通信システムは、各無線機（２２）は、他の無線機（２２）から間欠的に送信され、該他の無線機（２２）の識別子を含む識別子通知信号を受信する受信部（２２２）と、前記経路設定部（２１０）が前記一の通信経路を設定した場合、前記識別子通知信号の受信を禁止する禁止部（２２０）と、前記識別子通知信号の受信を禁止してから設定時間が経過した場合、前記識別子通知信号の受信の禁止を解除する禁止解除部（２２０）とを備えることを特徴とする。
【０１４０】
本願では、ゲートウェイ無線機と新規設置端末との間に通信経路が設定された場合、識別子通知信号の受信を禁止する受信禁止期間を設けるので、他の無線機の開通処理を妨げないようにすることができる。
【０１４１】
本願の無線通信システムは、前記ゲートウェイ無線機（２１）は、自機と通信可能に接続された無線機（２２）から、該無線機（２２）の識別子を含む１又は複数の識別子と、該識別子により識別される無線機（２２）までのホップ数とを関連付けて記憶するホップ数テーブルを取得する取得部（２１３）と、該取得部（２１３）にて取得したホップ数テーブルに、前記一の通信経路上に存在する各無線機（２２）の識別子が含まれる場合、該一の通信経路の設定を解除する経路解除部（２１０）とを備えることを特徴とする。
【０１４２】
本願では、新規設置端末から送信されるホップ数テーブルを取得したタイミングで通信経路の設定を解除するので、新規設置端末についてもメッシュ型ネットワークを利用した通信が可能となる。
【０１４３】
本願のゲートウェイ無線機は、メッシュ型の無線網（Ｎ２）に接続される無線機（２２）に対して識別子を発行する識別子発行部（２１０）を備え、前記無線網（Ｎ２）に接続された無線機（２２）と無線通信を行うと共に、前記無線網（Ｎ２）とは異なる通信網（Ｎ１）を介して外部通信装置（１０）と通信を行うゲートウェイ無線機（２１）において、前記無線網（Ｎ２）に未接続の無線機（２２）に対して発行した識別子を、前記無線網（Ｎ２）に接続済みの無線機（２２）へ通知する通知部（２１３）と、前記識別子により識別される無線機（２２）が他の無線機（２２）により検出されたことを示す検出通知を受信した場合、前記識別子により識別される無線機（２２）と自機との間に、前記検出通知の送信元を経由する一の通信経路を設定する経路設定部（２１０）とを備えることを特徴とする。
【０１４４】
本願では、識別子を発行済みであり、かつ無線網に未接続の無線機（新規接続端末）を検出した場合、ゲートウェイ無線機と新規接続端末との間に仮ルートを設定することができるので、ゲートウェイ無線機が新規接続端末の識別子を含むホップ数テーブルを取得する前に、ゲートウェイ無線機と新規接続端末との間の通信経路を確保することができ、新規接続端末の開通処理に要する時間を短縮することができる。
【符号の説明】
【０１４５】
１０  センタ
２１，ゲートウェイ無線機
２２  無線機
２３  メータ
２２０，２２０  制御部
２１１，２２１  記憶部
２１２  広域無線通信部
２１３，２２２  狭域無線通信部
２１４，２２４  表示部
２１５，２２５  操作部
２２３  接続ポート
２２９  電池
【図１】
0006468980.tif 000002
【図２】
0006468980.tif 000003
【図３】
0006468980.tif 000004
【図４】
0006468980.tif 000005
【図５】
0006468980.tif 000006
【図６】
0006468980.tif 000007
【図７】
0006468980.tif 000008
【図８】
0006468980.tif 000009
【図９】
0006468980.tif 000010
【図１０】
0006468980.tif 000011
【図１１】
0006468980.tif 000012
【図１２】
0006468980.tif 000013
【図１３】
0006468980.tif 000014
【図１４】
0006468980.tif 000015